(57)【要約】【課題】  電解水生成装置において、電解水を安定して供給できるようにする。【解決手段】  電解水生成装置１００には、上から順に、制御箱１と、槽収容箱２と、モータ収容箱３とが備えられている。槽収容箱２には、電解槽１０および当該電解槽１０に収容されている電極対２０が収容されている。モータ収容箱３には、ポンプ４１を含む、電解槽１０における電解によって生成した電解水をプールや浴槽等の他の装置へ送る複数のポンプとともに、電解槽１０で生成した電解水を通す配管４０、および、配管４０と上記の複数のポンプを接続する流路４００が設置されている。流路４００は、全体的に、下方に傾斜するように構成されている。これにより、流路４００において、電解水の流れが促進され、エアや残渣等の溜りが抑制される。【選択図】        図３
2006341178.tif 000002
【特許請求の範囲】
【請求項１】
電極対と、
前記電極対および水を収容する電解槽と、
前記電極対への電力の供給を制御する制御部と、
前記電解槽内の水を外部へ送るための配管とを含み、
前記配管の少なくとも一部が、透明部材からなる、電解水生成装置。
【請求項２】
前記配管は、水の流路を曲げる部分と当該流路の径を短く変更する部分の少なくとも一方を透明部材で構成される、請求項１に記載の電解水生成装置。
【請求項３】
前記配管は、水平方向に水を送る部分を含み、
前記水平方向に水を送る部分は、水を送る方向において下方に傾斜する、請求項１または請求項２に記載の電解水生成装置。
【請求項４】
電極対と、
前記電極対および水を収容する電解槽と、
水中にハロゲン化物イオンを供給する薬剤を貯蔵する電解促進剤供給槽と、
前記電解促進剤供給槽から前記電解槽へ前記薬剤を送るポンプと、
前記電極対への電力の供給を制御する制御部と、
前記電解促進剤供給槽と前記ポンプに接続され、少なくとも一部が透明部材からなる管とを含む、電解水生成装置。
【請求項５】
前記管は、前記電解促進剤供給槽および前記ポンプに対して着脱可能に接続される、請求項４に記載の電解水生成装置。
【請求項６】
前記電解促進剤供給槽の、前記管との接続部分またはその近傍部分に設置された、前記電解促進剤供給槽から前記管への水路を開閉するバルブをさらに含む、請求項４または請求項５に記載の電解水生成装置。
【請求項７】
前記電解促進剤供給槽は、前記薬剤が貯蔵される高さに形成された第１の開口と、前記薬剤が貯蔵されない高さに形成された第２の開口を備え、
前記管は、前記電解促進剤供給槽の前記第１および第２の開口のそれぞれに接続される開口を備える、請求項４〜請求項６のいずれかに記載の電解水生成装置。
【請求項８】
前記電解促進剤供給槽は、飽和食塩水を貯蔵し、
前記管と前記電解促進剤供給槽の接続部分に設置され、前記管および前記電解促進剤供給槽に対して着脱可能なフィルタをさらに含む、請求項４〜請求項７のいずれかに記載の電解水生成装置。
【発明の詳細な説明】
【技術分野】
【０００１】
本発明は、電解水生成装置に関し、特に、電解槽における電解反応によって、被処理水の滅菌等に利用する電解水を生成する電解水生成装置に関する。
【背景技術】
【０００２】
水道水、プール水、および、公衆浴場等の浴槽の水の殺菌・脱臭に、以前から、遊離残留塩素が使用されてきた。また、淡水中に含まれる塩化物イオンを電解によって遊離残留塩素に変換できることも、以前から知られている。また、塩化物イオン等のハロゲンイオンを添加された水道水などの被処理水を、電解により、プールや浴槽の水の殺菌や脱臭を行なうことのできる電解水に変換する技術も、以前から知られている。
【０００３】
塩化物イオン等を電解によって遊離残留塩素等の化学種へ変換することによって電解水を生成する電解水生成装置の一例としては、たとえば、特許文献１に記載される水処理装置を挙げることができる。この水処理装置では、水道水等を貯蔵するための貯水槽に、電極対が浸水される電解槽を連結させ、当該電解槽で電解処理された後の水が貯水槽に送られ、そして、当該貯水槽に貯蔵される電解水が水道の蛇口等に供給される。
【０００４】
そして、このような電解水生成装置で生成された電解水は、たとえばポンプを用いて、プールや浴槽等の、必要な場所に供給される。
【特許文献１】特開２００４−１４８２６６号公報
【発明の開示】
【発明が解決しようとする課題】
【０００５】
なお、従来の電解水生成装置では、必要に応じて、内部の配管が、複雑な経路を形成するように配置される場合があった。そして、従来の電解水生成装置では、配管内にエアや残渣が溜り、電解水の供給が安定しないという問題があった。
【０００６】
本発明は、かかる実情に鑑み考え出されたものであり、その目的は、電解水を安定して供給できる電解水生成装置を提供することである。
【課題を解決するための手段】
【０００７】
本発明のある局面に従った電解水生成装置は、電極対と、前記電極対および水を収容する電解槽と、前記電極対への電力の供給を制御する制御部と、前記電解槽内の水を外部へ送るための配管とを含み、前記配管の少なくとも一部が、透明部材からなることを特徴とする。
【０００８】
また、本発明に従った電解水生成装置では、前記配管は、水の流路を曲げる部分と当該流路の径を短く変更する部分の少なくとも一方を透明部材で構成されることが好ましい。
【０００９】
また、本発明に従った電解水生成装置では、前記配管は、水平方向に水を送る部分を含み、前記水平方向に水を送る部分は、水を送る方向において下方に傾斜することが好ましい。
【００１０】
本発明の他の局面に従った電解水生成装置は、電極対と、前記電極対および水を収容する電解槽と、水中にハロゲン化物イオンを供給する薬剤を貯蔵する電解促進剤供給槽と、前記電解促進剤供給槽から前記電解槽へ前記薬剤を送るポンプと、前記電極対への電力の供給を制御する制御部と、前記電解促進剤供給槽と前記ポンプに接続され、少なくとも一部が透明部材からなる管とを含むことを特徴とする。
【００１１】
また、本発明に従った電解水生成装置では、前記管は、前記電解促進剤供給槽および前記ポンプに対して着脱可能に接続されることが好ましい。
【００１２】
また、本発明に従った電解水生成装置では、前記電解促進剤供給槽の、前記管との接続部分またはその近傍部分に設置された、前記電解促進剤供給槽から前記管への水路を開閉するバルブをさらに含むことが好ましい。
【００１３】
また、本発明に従った電解水生成装置では、前記電解促進剤供給槽は、前記薬剤が貯蔵される高さに形成された第１の開口と、前記薬剤が貯蔵されない高さに形成された第２の開口を備え、前記管は、前記電解促進剤供給槽の前記第１および第２の開口のそれぞれに接続される開口を備えることが好ましい。
【００１４】
また、本発明に従った電解水生成装置では、前記電解促進剤供給槽は、飽和食塩水を貯蔵し、前記管と前記電解促進剤供給槽の接続部分に設置され、前記管および前記電解促進剤供給槽に対して着脱可能なフィルタをさらに含むことが好ましい。
【発明の効果】
【００１５】
本発明のある局面に従うと、電解槽から被処理水（電解水）を他の装置に送る配管の少なくとも一部が透明な部材で構成されるため、当該配管内で生じたエアや残渣の溜りを容易に視認できるようになる。これにより、配管内でエアや残渣の溜りが生じた場合であっても、メンテナンスするユーザが容易にそれを発見できるため、早期に清掃等の処置を講じることができる。
【００１６】
したがって、上記のようなエアや残渣がポンプ等に詰まりことによる電解水供給装置の外部の装置への電解水の供給効率の低下を、より確実に回避できる。
【００１７】
本発明の他の局面に従うと、電解促進剤供給槽から供給される薬剤等によって管に詰まりが生じた場合であっても、そのことを、メンテナンスするユーザが容易に発見できるため、早期に清掃等の処置を講じることができる。
【００１８】
これにより、上記のような詰まりことによって電解槽に薬剤が十分に供給されない事態を回避することができ、これにより、電解槽における電解が十分に行なわれない事態を回避できる。したがって、電解水供給装置の外部の装置への電解水の供給効率の低下を、より確実に回避できる。
【発明を実施するための最良の形態】
【００１９】
図１および図２は、本発明の一実施の形態である電解水生成装置を含む水処理システムの構成を模式的に示す図である。
【００２０】
まず、図１を参照して、水処理システムには、電解槽生成装置１００が含まれる。そして、電解槽生成装置１００は、主に、電解水貯水槽３０と電解促進剤供給槽５０からなる。
【００２１】
電解水貯水槽３０には、電解槽１０が内蔵されている。
電解槽１０は、電極対２０を内蔵し、そして、水道水や地下水配管から導入される水を受け入れる導入孔１１、内部で発生した気体を排出する排気孔１２、および、内部の溶液を排出する排水孔１３を備えている。電解槽１０は、電解水貯水槽３０と連通する孔等を形成されることにより、その内部の水が、電解水貯水槽３０との間で行き来できるように構成されている。なお、電解槽１０内の水位が所定の水位を越えた場合等には、電解槽１０内の水は、バルブ１３Ａが開かれることによって、排出孔１３からドレンへと排出される。また、排気孔１２には、ブロアモータ６０を有する配管が接続されている。電解槽１０における電解において発生した気体は、ブロアモート６０が駆動されることによって、適宜、室外または排気口へ導かれる。
【００２２】
電解水貯水槽３０には、電解水貯水槽３０内の水位を検出する水位センサ３３が備えられ、また、オーバーフロー孔３１および排出孔３２が形成されている。水位センサ３３の検出する水位が所定の水位を越えた場合には、電解水貯水槽３０内の水は、オーバーフローチャート孔３１からドレンに排出されるとともに、バルブ３２Ａが開かれることによって排出孔３２から排出される。
【００２３】
電解水貯水槽３０には、配管４０が接続されている。後述するように、電解槽１０において電解処理が行なわれることにより、電解水貯水槽３０には電解水が貯蔵される。当該電解水は、ポンプ４１等のポンプが駆動することによって、配管４０を介して、プール８０（図２参照）や浴槽（図示略）に供給される。
【００２４】
電解槽１０には、バルブ５３Ａ、ポンプ７１、電磁弁７２、および、導入孔１１を介して、水道水または地下水配管から水が導入される。また、電解促進剤供給槽５０にも、電磁弁５３Ｂを介して、水道水または地下水配管から水が導入される。バルブ５３Ａは、通常開状態とされる。電磁弁７２は、水位センサ３３の検出出力に基づいて、その開閉を制御される。
【００２５】
電解促進剤供給槽５０には、当該槽に収容される水に溶解する以上の量の食塩が収容されている。そして、電解促進剤供給槽５０に水が導入されることにより、当該電解促進剤供給槽５０には、飽和食塩水が収容される。電解促進剤供給槽５０には、水を導入される導入口５３とオーバーフロー孔５２が設けられている。電解促進剤供給槽５０内の水位が所定の水位を越えると、電解槽促進剤供給槽５０の内部の溶液は、オーバーフロー孔５２を介してドレンへと排出される。電解促進剤供給槽５０の内部には、当該電解促進剤供給槽５０内の水位を検出する水位センサ５１が設置されており、電磁弁５３Ｂは、水位センサ５１の検出出力に基づいて、開閉を制御される。
【００２６】
電解促進剤供給槽５０には管５４が接続され、また、管５４にはポンプ５５が接続されている。管５４は、電解槽１０の導入口１１に接続されている。つまり、ポンプ５５が駆動されることによって、電解槽１０に、電解促進剤供給槽５０内の飽和食塩水が導入される。
【００２７】
電極対２０は、制御回路（図１では図示略）を介して電力を供給されることによって、電解槽１０内の水を電解する。ここで、電解の際に、電解槽５０内で生じると考えられる化学反応を説明する。
【００２８】
まず、電解槽１０では、水について、式（１）に示す平衡が成り立っている。
Ｈ２Ｏ  ⇔  Ｈ＋＋ＯＨ−  （１）
また、電解槽１０内の水に、塩化ナトリウムが供給されていることから、当該塩化ナトリウムについて式（２）に示す平衡が成り立っている。
【００２９】
ＮａＣｌ  ⇔  Ｎａ＋＋Ｃｌ−  （２）
そして、電極対２０に電力が供給された場合、電極対２０のアノード電極の近傍では、式（３）〜（５）に示すように、水の電気分解により酸素ガスが発生し、塩化物イオンは塩素ガスとなり、塩素ガスの一部は水和して次亜塩素酸となる。
【００３０】
２Ｈ２Ｏ  ⇔  Ｏ２↑＋４Ｈ＋＋４ｅ−  （３）
２Ｃｌ−  ⇔  Ｃｌ２↑＋２ｅ−  （４）
Ｃｌ２＋Ｈ２Ｏ  ⇔  Ｈ＋＋Ｃｌ−＋ＨＣｌＯ  （５）
また、アノード電極近傍では、電解により、次亜塩素酸以外にも、水の殺菌・脱臭に利用できる遊離残留塩素が生成する。
【００３１】
また、電極対２０のカソード電極近傍では、式（６）に示すように、水の電気分解により水素ガスが発生する。
【００３２】
２Ｈ２Ｏ＋２ｅ−  ⇔  Ｈ２↑＋２ＯＨ−  （６）
なお、以上説明した本実施の形態では、電解によって水の殺菌・脱臭に利用するために、電解槽１０には、ハロゲン化物イオンの一例として塩化物イオンが供給されたが、本発明において電解槽に供給されるハロゲン化物イオンはこれに限定されない。
【００３３】
ただし、食塩水を利用して塩化物イオンが供給されるようにすれば、容易に、かつ、比較的低コストで、ハロゲン化物イオンを供給することができる。また、本実施の形態において、電解促進剤供給槽５０に、多量の食塩を貯蔵させて飽和食塩水を供給させることに利用されることによって、容易に、一定の濃度の食塩水を供給させることができる。
【００３４】
電解水貯水槽３０で貯蔵される電解水は、後述するような複数のポンプによって、異なる複数の場所に供給することができる。たとえば、電解水貯水槽３０内の電解水は、管４０およびポンプ４１を介して、図２に示すように、プール８０に供給される。
【００３５】
プール８０には、ポンプ８１が接続されている。プール８０内の水は、電解水生成装置１００から電解水を供給されるとともに、適宜、ポンプ８１が駆動さることによって循環される。具体的には、プール８０内の水は、砂ろ過器８２と熱交換器８３とを経て、再度、プール８０に戻される。なお、電解水生成装置１００からの電解水の供給が不足した場合には、プール８０には、ポンプ８５が駆動されることによって、薬剤貯蔵槽８４から次亜塩素酸ナトリウム等の消毒用の薬剤が供給される。なお、薬剤貯蔵槽８４は、たとえば、水溶液として、次亜塩素酸ナトリウムを貯蔵している。
【００３６】
図３に、図１の電解水生成装置１００の具体的な構成を示す。なお、図３は、図１の電解水生成装置の側面図に相当する。
【００３７】
電解水生成装置１００には、上から順に、制御箱１と、槽収容箱２と、ポンプ収容箱３とが備えられている。
【００３８】
制御箱１には、電極対２０およびポンプ４１，５５，７１等への電力の供給を制御する制御回路７０が収容されている。本実施の形態の電解水生成装置１００では、制御箱１は、水分が通過する槽収容箱２およびポンプ収容箱３とは分離可能に構成されている。つまり、図３では、制御箱１は、槽収容箱２およびポンプ収容箱３と一体的に設置されているように示されているが、ポンプ４１等との間の電気的な配線が接続されていれば、制御箱１は、槽収容箱２およびポンプ収容箱３とは離間した場所に、設置することが可能とされる。これにより、制御回路７０等の電子部品が水に濡れにくくなり、品質の向上や部品の寿命の長期化につながるとともに、制御回路７０等に対するメンテナンスが容易となり、また、制御回路７０に接続されたスイッチ（図示略）の操作性を向上できる。
【００３９】
槽収容箱２には、電解水貯水槽３０が収容されている。なお、図３では、電解水貯水槽３０の図示は省略されており、当該電解水貯水槽３０に収容されている電解槽１０、および、当該電解槽１０に収容されている電極対２０が示されている。なお、槽収容箱２には、ブロアモータ６０が接続されている。図３におけるＩＶ−ＩＶ線に沿う矢視断面図を図４に示す。
【００４０】
図４をさらに参照して、ポンプ収容箱３には、ポンプ４１を含む、電解水生成装置１００で生成された電解水をプールや浴槽等の他の装置へ送る複数のポンプ（ポンプ４１〜４４）が設置されている。
【００４１】
配管４０は、垂直方向に延設されている。また、配管４０は、その上端を電解水貯水槽３０に接続され、その下端をＴ字管４９０に接続されている。Ｔ字管４９０は、Ｔの字が逆向きになるように設置されており、下端の一方をＬ字管４９４に接続され、他方をＬ字管４９５に接続されている。
【００４２】
なお、図３および図４から理解されるように、配管４０の下方には、複数の配管を接続することによって形成された、複数のポンプ（ポンプ４１〜４４）のそれぞれに電解水貯水槽３０内の電解水を供給するための環状の流路４００が配置されている。この流路４００は、Ｔ字管４９０、Ｌ字管４９５、Ｔ字管４１０、管４０２、Ｔ字管４２０、管４０３、Ｔ字管４５０、管４０４、Ｔ字管４６０、管４０５、Ｌ字管４９１、Ｔ字管４９３、Ｌ字管４９２、Ｔ字管４８０、管４０６、Ｔ字管４７０、管４０７、Ｔ字管４４０、管４０８、Ｔ字管４３０、管４０９、および、Ｌ字管４９４が順に連結されることによって構成される。そして、ポンプ４１は、それぞれ、チューブ４１１を介してＴ字管４１０と接続されている。また、ポンプ４２は、チューブ４２１を介してＴ字管４２０と接続されている。また、ポンプ４３は、チューブ４３１を介してＴ字管４３０と接続されている。また、ポンプ４４は、チューブ４４１を介してＴ字管４４０と接続されている。
【００４３】
本実施の形態の電解水生成装置１００では、このような流路４００において、Ｔ字管４１０，４２０，４３０，４４０，４５０，４６０，４８０，４７０，４９０，４９３やＬ字管４９１，４９２，４９４，４９５のように流路を曲げるような部分、および、たとえば管の継ぎ目のような流路の径（流路４００の内壁の電解水が通る部分）を短く変更する（流路の断面積を狭くする）部分を構成する配管は、内部のエア等の溜りや残渣などのごみの溜りが外部から視認できるように、透明な部材で構成される。なお、本実施の形態において、透明にされる配管は、上記のＴ字管やＬ字管に限定されない。上記したような、エアや残渣の溜りが生じやすいＴ字管やＬ字管における、エアや残渣の溜りが視認できるようであれば、上記のＴ字管やＬ字管の代わりに管４０２〜４０９を透明な部材で構成されても良いし、また、上記のＴ字間やＬ字管に加えてさらに管４０２〜４０９を透明な部材で構成されても良い。また、流路４００を構成する管の代わりに、または、これらの管とともに、配管４０が透明な部材で構成されても良い。少なくとも配管４０が透明な部材で構成されることによって、流路４００の中の、少なくとも一部分における、エアや残渣の溜りが視認できるようになると考えられるからである。
【００４４】
上記の環状の流路４００は、その一端を配管４０に接続され、他端を配管４９９および図示せぬポンプを介してドレンに接続されている。なお、配管４９９は、電解水を貯蔵するタンクに接続され、電解水貯水槽３０内の電解水が、当該タンクで貯蔵されるように構成されても良い。
【００４５】
また、図４から理解されるように、流路４００は、全体的に、下方に傾斜するように構成されている。このように、電解水生成装置１００とポンプ４１〜４４を接続する配管の中の、水平方向に電解水を送る部分が下方に傾斜するように構成されることによって、電解水生成装置１００からポンプ４１〜４４に電解水が送られる際に、流路４００内の電解水の流れが促進される。これにより、流路４００内でのエアや残渣等の溜りを抑制することができる。
【００４６】
図５に、電解促進剤供給槽５０の縦断面を模式的に示す。
図５を参照して、電解促進剤供給槽５０は、その上面に、食塩を投入するための投入口５００を形成されている。投入口５００は、蓋５０１で閉じられている。
【００４７】
電解促進剤供給槽５０の側面には電磁弁５３Ｂを介して送られてくる水を内部に通すための給水口５３が形成されている。給水口５３は、弁５３Ｃによって開閉される。弁５３Ｃには、浮き玉５３０が接続されている。浮き玉５３０により、弁５３Ｃは、電解促進剤供給槽５０の内部が一定の水位になるように開閉する。
【００４８】
電解促進剤供給槽５０の内部には、多量の食塩５が貯蔵されている。これにより、電解促進剤供給槽５０では、水が供給されると、飽和食塩水を貯蔵することができる。
【００４９】
電解促進剤供給槽５０の側面には、透明管５７が取り付けられている。透明管５７は、その下部と上部の２箇所で、電解促進剤供給槽５０と連通している。具体的には、電解促進剤供給槽５０の側面には、その上部に連通孔５０Ａが形成され、また、下部には接続管５０Ｂが形成されている。透明管５７は、その上部に形成された連通部５７Ａを連通孔５０Ａにはめ込まれ、また、その下端を接続管５０Ｂに接続されることによって、電解促進剤供給槽５０と接続される。なお、接続管５０Ｂの、透明管５７との接続部分よりも下部に、接続管５０Ｂを開閉するバルブ５７０が設置されている。
【００５０】
電解促進剤供給槽５０では、接続管５０Ｂが形成される根元の部分に、フィルタ５０２が設置されている。電解促進剤供給槽５０内の飽和食塩水は、フィルタ５０２および接続管５０Ｂを介して、透明管５７に導入される。
【００５１】
連通孔５０Ａは、電解促進剤供給槽５０において浮き玉５３０が弁５３Ｃを開閉する水位よりも上方に形成されている。つまり、電解促進剤供給槽５０は、内部に飽和食塩水の存在する高さに開口を有する接続管５０Ｂと、飽和食塩水が存在しない高さに形成された連通孔５０Ａの２箇所で、透明管５７と接続されている。これにより、透明管５７内に電解促進剤供給槽５０内の飽和食塩水が導入されるとともに、透明管５７内で生じた空気が、連通部５７Ａおよび連通孔５０Ａを介して電解促進剤供給槽５０側に逃がされることが可能となる。
【００５２】
透明管５７内には、管５４が配置されている。電解促進剤供給槽５０内の飽和食塩水は、ポンプ５５が駆動されることによって、管５４を介して、電解槽１０へと送られる。なお、透明管５７の上部は、蓋５７１で覆われている。これにより、透明管５７内の水分の蒸発が抑制される。
【００５３】
透明管５７は、全体的に透明な部材によって構成されている。これにより、透明管５７内の水位を、外部から容易に視認できる。したがって、弁５３Ｃの故障等により、電解促進剤供給槽５０内の溶液が不足して電解槽１０に十分な飽和食塩水が供給されない、といった事態を容易に回避できる。
【００５４】
なお、管５４についても、その内部の食塩の詰まり等を視認できるように、透明な部材で構成されることが好ましい。
【００５５】
図６に、接続管５０Ｂと透明管５７との接続部分の拡大図を示す。なお、図６では、これらのバルブ５７０は省略されている。
【００５６】
透明管５７の下端および接続管５０Ｂの上端は、それぞれネジ切りされている。つまり、透明管５７は、その下端を接続管５０Ｂに対してネジ止めされ、さらに、連通部５７Ａを連通孔５０Ａにはめ込まれることによって、電解促進剤供給槽５０に取り付けられる。
【００５７】
また、透明管５７は、フィルタ５８を挟むように、接続管５０Ｂにネジ止めされる。フィルタ５８は、フィルタ５０２と同様に、ポリプロピレン等の、食塩水に対して劣化しない性質を有する材料からなる。なお、電解促進剤供給槽５０から透明管５７へ、食塩を通さず飽和食塩水のみを通すように、フィルタ５８は、１８メッシュ程度の目の細かさを有するものが好ましい。また、管５４の下端にも、フィルタ５４Ａが取り付けられている。フィルタ５４Ａも、フィルタ５８と同様の材質で構成されることが好ましい。
【００５８】
本実施の形態では、透明管５７は、電解促進剤供給槽５０およびポンプ５５から着脱可能に構成される。また、透明管５７は、透明な部材で構成されている。このように透明管５７が構成されていることにより、電解促進剤供給槽５０からフィルタ５０２，５８を越える等して、透明管５７において食塩が蓄積した場合であっても、透明管５７を取り外して食塩を除去することができる。これにより、管５４において目詰まりが生じて電解槽１０に飽和食塩水が十分に供給されない事態を回避できる。
【００５９】
また、上記したように、接続管５０Ｂの、透明管５７との接続部分よりも下部、つまり、透明管５７との接続部分よりも上流側に、接続管５０Ｂを開閉するバルブ５７０が設置されている。これにより、バルブ５７０によって透明管５０Ｂを閉じれば、透明管５７が電解促進剤供給槽５０から取り外される場合であっても、電解促進剤供給槽５０に収容された食塩および食塩水を電解促進剤供給槽５０から抜くことなく、透明管５７の清掃を行なうことができる。
【００６０】
なお、透明管５７では、より確実に管５４において食塩が混入することを回避するために、その内部で、図７に示すように、管５４の外郭を覆う管５７５が設置されることが好ましい。管５７５は、その上端は透明管５７の上端に位置し、その下端は管５４の下端よりも下方に位置している。そして、管５７５は、管５４内の様子が見えるように、透明な部材で構成されることが好ましい。また、このような管５７５を設置する場合、管５７５の下端に、さらにフィルタ５８（図６参照）と同様の材質のフィルタが設置されることが好ましい。
【００６１】
図８〜図１０は、図３に示した電解水生成装置１００の変形例を示す図であり、図８は電解水生成装置１００の側面図であり、図９はその後面図であり、図１０はその上面図である。
【００６２】
図８〜図１０に示された電解水生成装置１００においても、制御箱１は、制御回路７０を収容し、また、槽収容箱２およびポンプ収容箱３に対して離間して設置できるように構成されている。
【００６３】
また、図８〜図１０に示された電解水生成装置１００では、流量計１９を含む部材が、槽収容箱２またはポンプ収容箱３の内部に収容されている。流量計１９は、電解水貯水槽３０に流入する水の量を計測するために、電解水生成装置１００に設置されている。また、図８〜図１０に示された電解水生成装置１００では、ブロアモータ６０が、槽収容箱２の真上に設置されている。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６５】
【図１】本発明の一実施の形態である電解水生成装置を含む水処理システムの構成を模式的に示す図である。
【図２】本発明の一実施の形態である電解水生成装置を含む水処理システムの構成を模式的に示す図である。
【図３】図１の電解水生成装置の具体的な構成を示す図である。
【図４】図３のＶＩ−ＶＩ線に沿う矢視断面図である。
【図５】図１の電解促進剤供給槽の縦断面を模式的に示す図である。
【図６】図５の接続管と透明管の接続部分の拡大図である。
【図７】図５の透明管の変形例を示す図である。
【図８】図３の電解水生成装置の変形例の側面図である。
【図９】図８の電解水生成装置の後面図である。
【図１０】図８の電解水生成装置の上面図である。
【符号の説明】
【００６６】
１  制御箱、２  槽収容箱、３  ポンプ収容箱、１０  電解槽、１１  導入孔、１２  排気孔、１３  排水孔、１９  流量計、２０  電極対、３０  電解水貯水槽、４０  配管、４１〜４４，５５，７１  ポンプ、５０  電解促進剤供給槽、５０Ａ  連通孔、５０Ｂ  接続管、５７  透明管、６０  ブロアモータ、７０  制御回路、１００  電解槽生成装置、４０２〜４０９  管、４１０，４２０，４３０，４４０，４５０，４６０，４７０，４８０，４９０，４９３  Ｔ字管、４９１，４９２，４９４，４９５  Ｌ字管、５７０  バルブ。
【図１】
2006341178.tif 000003
【図２】
2006341178.tif 000004
【図３】
2006341178.tif 000005
【図４】
2006341178.tif 000006
【図５】
2006341178.tif 000007
【図６】
2006341178.tif 000008
【図７】
2006341178.tif 000009
【図８】
2006341178.tif 000010
【図９】
2006341178.tif 000011
【図１０】
2006341178.tif 000012